(57)【特許請求の範囲】
【請求項１】
回転によって錠を開放するドアノブを有する開き戸を開閉するドア開閉装置であって、
前記ドアノブに取り付け可能に構成され、前記ドアノブの回転軸から離れた離隔部を有するドアノブ取付部と、
前記ドアノブ取付部の前記離隔部に連結され、軸方向引張力を伝達し、軸方向圧縮力を逃す線状部材と、
前記開き戸における前記ドアノブより下方に取り付け可能に構成され、前記線状部材を介して前記ドアノブ取付部に連結され、操作者の足による押し下げに伴って前記線状部材を介して前記ドアノブ取付部を引っ張ることによって前記ドアノブを回転可能に構成された足踏み板と、
前記足踏み板の底部に設けられ、前記足踏み板の押し下げに伴って床に接触するとともに、前記開き戸の開閉に伴って前記床の上を転動可能に構成された車輪部と
を備えるドア開閉装置。
【請求項２】
請求項１に記載のドア開閉装置であって、
前記足踏み板は、
上方を向いた上面と、
前記開き戸から離れた側の端部と、
前記上面より前記端部側に位置し、前記上面より上方に突出している突出部と
を有する、ドア開閉装置。
【請求項３】
請求項１または請求項２に記載のドア開閉装置であって、
前記線状部材は、引張コイルバネを介して前記足踏み板へと連結されている、ドア開閉装置。
【請求項４】
開き戸であって、
回転によって錠を開放する回転機構と、
前記回転機構における回転軸から離れた離隔部に連結され、軸方向引張力を伝達し、軸方向圧縮力を逃す線状部材と、
前記開き戸における前記回転機構より下方に位置し、前記線状部材を介して前記回転機構に連結され、操作者の足による押し下げに伴って前記線状部材を介して前記回転機構を引っ張ることによって前記回転機構を回転可能に構成された足踏み板と、
前記足踏み板の底部に設けられ、前記足踏み板の押し下げに伴って床に接触するとともに、前記開き戸の開閉に伴って前記床の上を転動可能に構成された車輪部と
を備える開き戸。
【発明の詳細な説明】
【技術分野】
【０００１】
本明細書は、開き戸およびドア開閉装置に関する技術を開示する。
【背景技術】
【０００２】
開き戸には、回転によって錠を開放するドアノブを有するものがある。特許文献１，２には、ドアノブを有する開き戸の錠を足で開放することを目的として、ドアノブに連結された足踏み板を足で押し下げることによって開き戸の錠を開放する装置が提案されている。
【先行技術文献】
【特許文献】
【０００３】
【特許文献１】特開平１０−５４１６２号公報
【特許文献２】特開平１０−２５２３１９号公報
【発明の概要】
【発明が解決しようとする課題】
【０００４】
ドアノブを有する開き戸の錠を足で開放する装置においては、足で開き戸の錠を開放した状態で、そのまま足で開き戸を円滑に開閉することについて十分な検討がなされていなかった。
【課題を解決するための手段】
【０００５】
本明細書に開示する技術は、以下の形態として実現できる。
【０００６】
（１）本明細書に開示する一形態におけるドア開閉装置は、回転によって錠を開放するドアノブを有する開き戸を開閉する。このドア開閉装置は、前記ドアノブに取り付け可能に構成され、前記ドアノブの回転軸から離れた離隔部を有するドアノブ取付部と；前記ドアノブ取付部の前記離隔部に連結され、軸方向引張力を伝達し、軸方向圧縮力を逃す線状部材と；前記開き戸における前記ドアノブより下方に取り付け可能に構成され、前記線状部材を介して前記ドアノブ取付部に連結され、操作者の足による押し下げに伴って前記線状部材を介して前記ドアノブ取付部を引っ張ることによって前記ドアノブを回転可能に構成された足踏み板と；前記足踏み板の底部に設けられ、足踏み板の押し下げに伴って床に接触するとともに、前記開き戸の開閉に伴って前記床の上を転動可能に構成された車輪部とを備える。この形態のドア開閉装置によれば、足踏み板を押し下げた状態で床に接触する車輪部が開き戸の開閉に伴って床の上を転動するため、足で開き戸の錠を開放した状態で、そのまま足で開き戸を円滑に開閉できる。また、足踏み板を押し下げた状態で車輪部が床に接触することによって車輪部が足踏み板を支持するため、足踏み板の過剰な押し下げによる開き戸やドア開閉装置の破損を防止できる。また、軸方向圧縮力を逃す線状部材を介して足踏み板をドアノブに連結しているため、操作者が手でドアノブを操作する際には足踏み板が押し下げられず、車輪部も床に接触しないことから、手による開き戸の操作性を損なうことなく、足による開き戸の操作も可能な構成を実現できる。また、ドアノブを手で接触することなく開き戸を開閉できるため、ドアノブを介したウィルス感染を予防できる。
【０００７】
（２）上記形態のドア開閉装置において、前記足踏み板は、上方を向いた上面と；前記開き戸から離れた側の端部と；前記上面より前記端部側に位置し、前記上面より上方に突出している突出部とを有してもよい。この形態のドア開閉装置によれば、足踏み板を押し下げた状態で開き戸を操作者側へ引き寄せる際に、足踏み板の突出部が操作者の足裏に引っ掛かるため、車輪部の転動と相まって、足による開き戸の開閉をいっそう円滑に実現できる。
【０００８】
（３）上記形態のドア開閉装置において、前記線状部材は、引張コイルバネを介して前記足踏み板へと連結されていてもよい。この形態のドア開閉装置によれば、引張コイルバネが伸縮することによって、線状部材の弛みを防止できる。また、引張コイルバネが伸縮することによって、足踏み板を開き戸に対して取り付ける位置に余裕を持たせることができる。
【０００９】
（４）本明細書に開示する一形態における開き戸は、回転によって錠を開放する回転機構と；前記回転機構における回転軸から離れた離隔部に連結され、軸方向引張力を伝達し、軸方向圧縮力を逃す線状部材と；前記開き戸における前記回転機構より下方に位置し、前記線状部材を介して前記回転機構に連結され、操作者の足による押し下げに伴って前記線状部材を介して前記回転機構を引っ張ることによって前記回転機構を回転可能に構成された足踏み板と；前記足踏み板の底部に設けられ、前記足踏み板の押し下げに伴って床に接触するとともに、前記開き戸の開閉に伴って前記床の上を転動可能に構成された車輪部とを備える。この形態の開き戸によれば、足踏み板を押し下げた状態で床に接触する車輪部が開き戸の開閉に伴って床の上を転動するため、足で錠を開放した状態でそのまま足で開き戸を円滑に開閉できる。また、足踏み板を押し下げた状態で車輪部が床に接触することによって車輪部が足踏み板を支持するため、足踏み板の過剰な押し下げによるドア開閉装置の破損を防止できる。また、軸方向圧縮力を逃す線状部材を介して足踏み板をドアノブに連結しているため、操作者が手で回転機構を操作する際には足踏み板が押し下げられず、車輪部も床に接触しないことから、手による開き戸の操作性を損なうことなく、足による開き戸の操作も可能な構成を実現できる。
【００１０】
本明細書に開示する技術は、ドア開閉装置および開き戸とは異なる種々の形態で実現できる。本明細書に開示する技術は、例えば、ドア開閉装置の部品、開き戸の部品、ならびに、開き戸の開閉方法などの形態で実現できる。
【図面の簡単な説明】
【００１１】
【図１】開き戸およびドア開閉装置の構成を示す説明図である。
【図２】足踏み板を押し下げていない状態におけるドア開閉装置の詳細構成を示す説明図である。
【図３】足踏み板を押し下げた状態におけるドア開閉装置の詳細構成を示す説明図である。
【図４】他の実施形態におけるドア開閉装置の詳細構成を示す説明図である。
【発明を実施するための形態】
【００１２】
図１は、開き戸１００およびドア開閉装置２００の構成を示す説明図である。開き戸１００は、建物の開口部を開閉する建具である。開き戸１００は、板状本体１１０と、ヒンジ１２０と、ドアノブ１３０と、錠１４０とを備える。
【００１３】
開き戸１００の板状本体１１０は、板状を成し、開き戸１００の主要部を構成する。開き戸１００のヒンジ１２０は、板状本体１１０における一方の側面の上下にそれぞれ設けられている。ヒンジ１２０は、回転軸１２５を中心に板状本体１１０を開閉可能に支持する。ヒンジ１２０の回転軸１２５は、開き戸１００が設けられている床１８０に対して垂直な軸である。
【００１４】
開き戸１００のドアノブ１３０は、回転軸１３５を中心とする回転によって錠１４０を開放する回転機構である。ドアノブ１３０の回転軸１３５は、板状本体１１０に対して垂直な軸であり、ヒンジ１２０の回転軸１２５に直交する。開き戸１００の錠１４０は、板状本体１１０における他方の側面（ヒンジ１２０とは反対側の側面）の中央に設けられている。ドアノブ１３０が回転操作されていない場合、錠１４０は、板状本体１１０から突出している。ドアノブ１３０が回転操作された場合、錠１４０は、板状本体１１０の内側に収容される。
【００１５】
ドア開閉装置２００は、操作者が足を用いて開き戸１００を開閉できるようにする装置である。本実施形態では、ドア開閉装置２００は、開き戸１００に対して後付け可能に構成されている。他の実施形態では、ドア開閉装置２００は、開き戸１００に予め組み込まれた構成であってもよい。ドア開閉装置２００は、ドアノブ取付部２１０と、線状部材２２０と、上下機構２３０と、足踏み板２４０と、車輪部２５０とを備える。
【００１６】
図２は、足踏み板２４０を押し下げていない状態におけるドア開閉装置２００の詳細構成を示す説明図である。図３は、足踏み板２４０を押し下げた状態におけるドア開閉装置２００の詳細構成を示す説明図である。図２（ａ）および図３（ａ）は、上面から見たドア開閉装置２００を図示し、図２（ｂ）および図３（ｂ）は、右側面から見たドア開閉装置２００を図示する。本実施形態では、開き戸１００の表側および裏側の両方にドア開閉装置２００がそれぞれ設けられている。図２の状態では、開き戸１００の錠１４０は、板状本体１１０から突出している。図３の状態では、開き戸１００の錠１４０は、板状本体１１０に収容されている。
【００１７】
ドア開閉装置２００のドアノブ取付部２１０は、開き戸１００のドアノブ１３０に取り付け可能に構成されている。ドアノブ取付部２１０は、ドアノブ１３０の回転軸１３５から離れた離隔部２１６を有する。本実施形態では、ドアノブ取付部２１０は、ドアノブ１３０に対して着脱可能に構成されている。他の実施形態では、ドアノブ取付部２１０は、ドアノブ１３０と一体的に構成されていてもよい。
【００１８】
本実施形態では、ドアノブ取付部２１０は、ドアノブ係合部２１２と、締付部２１４とを有する。ドアノブ係合部２１２は、ドアノブ１３０の外周に係合する。ドアノブ係合部２１２は、離隔部２１６に繋がる部位である。締付部２１４は、ドアノブ係合部２１２を締め付けることによって、ドアノブ係合部２１２をドアノブ１３０に対して固定する。本実施形態では、ドアノブ取付部２１０は、金属製である。他の実施形態では、ドアノブ取付部２１０は、樹脂製の部材であってもよいし、金属と樹脂との複合部材であってもよい。
【００１９】
ドア開閉装置２００の線状部材２２０は、ドアノブ取付部２１０と足踏み板２４０との間を連結する。線状部材２２０は、２つの端部２２２，２２４を有する。線状部材２２０における一方の端部２２２は、ドアノブ取付部２１０の離隔部２１６に連結されている。線状部材２２０における他方の端部２２４は、上下機構２３０を介して足踏み板２４０へと連結されている。
【００２０】
線状部材２２０は、軸方向引張力を伝達し、軸方向圧縮力を逃す線材である。そのため、線状部材２２０は、端部２２４から軸方向引張力を受けた場合には、その軸方向引張力を端部２２２に伝達するが、端部２２２から軸方向圧縮力を受けた場合には撓むことによって軸方向圧縮力を逃し、その軸方向圧縮力を端部２２４へ伝達しない。本実施形態では、線状部材２２０は、金属製ワイヤである。他の実施形態では、線状部材２２０は、樹脂製の線材であってもよい。
【００２１】
ドア開閉装置２００の上下機構２３０は、線状部材２２０を介してドアノブ１３０に連結されているとともに、足踏み板２４０と共に上下する機構である。上下機構２３０は、足踏み板２４０が操作されていない場合、足踏み板２４０を上方に引き上げる（図２）。上下機構２３０は、足踏み板２４０が下方に押し下げられた場合、足踏み板２４０と共に下方に移動する（図３）。
【００２２】
上下機構２３０は、スライドシャフト２３２と、スプリング２３３と、ハウジング２３４と、ベース２３６とを有する。スライドシャフト２３２は、ハウジング２３４を貫通して上下方向に延びた棒材であり、足踏み板２４０と共に上下方向に移動する。スライドシャフト２３２の上端部は、線状部材２２０の端部２２４に連結されている。スライドシャフト２３２の下端部は、足踏み板２４０に固定されている。スプリング２３３は、ハウジング２３４の内側に収容され、スライドシャフト２３２を上方に押し付ける。ハウジング２３４は、スライドシャフト２３２およびスプリング２３３を保持する。ベース２３６は、ハウジング２３４との間にスライドシャフト２３２およびスプリング２３３を保持する。ベース２３６は、開き戸１００の板状本体１１０におけるドアノブ１３０より下方に固定される。本実施形態では、上下機構２３０を構成する各部品は金属製である。
【００２３】
ドア開閉装置２００の足踏み板２４０は、上下機構２３０を介して、開き戸１００の板状本体１１０におけるドアノブ１３０より下方に取り付け可能に構成されている。足踏み板２４０は、線状部材２２０を介してドアノブ取付部２１０に連結されている。足踏み板２４０は、開き戸１００を開閉する操作者の足による押し下げに伴って線状部材２２０を介してドアノブ取付部２１０を引っ張ることによってドアノブ１３０を回転可能に構成されている。
【００２４】
足踏み板２４０は、操作者の足で押し下げ可能な大きさを有する板状部材である。本実施形態では、足踏み板２４０は、金属製の部品である。足踏み板２４０は、上面２４２と、突出部２４４と、端部２４６と、底部２４８とを有する。上面２４２は、上方を向いた面であり、操作者の足を乗せる部位となる。上面２４２の表面には、凹凸やゴムシートによる滑り止め構造を設けてもよい。突出部２４４は、上面２４２より端部２４６側に位置し、上面２４２より上方に突出している部位である。本実施形態では、突出部２４４は、足踏み板２４０の端部２４６側を上方に折り曲げた形状を成す。他の実施形態では、突出部２４４は、凸条であってもよいし、複数の突起であってもよい。端部２４６は、開き戸１００および上下機構２３０から離れた側に位置する。底部２４８は、上面２４２の裏側に位置し、下方を向いた部位である。
【００２５】
ドア開閉装置２００の車輪部２５０は、足踏み板２４０の底部２４８に設けられた自在キャスタである。車輪部２５０は、足踏み板２４０の押し下げに伴って床１８０に接触するとともに（図３を参照）、開き戸１００の開閉に伴って床１８０の上を転動可能に構成されている。
【００２６】
以上説明した実施形態によれば、足踏み板２４０を押し下げた状態で床１８０に接触する車輪部２５０が開き戸１００の開閉に伴って床１８０の上を転動するため、足で開き戸１００の錠１４０を開放した状態で、そのまま足で開き戸１００を円滑に開閉できる。また、足踏み板２４０を押し下げた状態で車輪部２５０が床１８０に接触することによって車輪部２５０が足踏み板２４０を支持するため、足踏み板２４０の過剰な押し下げによる開き戸１００やドア開閉装置２００の破損を防止できる。また、軸方向圧縮力を逃す線状部材２２０を介して足踏み板２４０をドアノブ１３０に連結しているため、操作者が手でドアノブ１３０を操作する際には足踏み板２４０が押し下げられず、車輪部２５０も床１８０に接触しないことから、手による開き戸１００の操作性を損なうことなく、足による開き戸１００の操作も可能な構成を実現できる。また、ドアノブ１３０を手で接触することなく開き戸１００を開閉できるため、ドアノブ１３０を介したウィルス感染を予防できる。
【００２７】
また、足踏み板２４０を押し下げた状態で開き戸１００を操作者側へ引き寄せる際に、足踏み板２４０の突出部２４４が操作者の足裏に引っ掛かるため、車輪部２５０の転動と相まって、足による開き戸１００の開閉をいっそう円滑に実現できる。
【００２８】
本明細書に開示する技術は、上述した実施形態、実施例および変形例に限られず、その趣旨を逸脱しない範囲において種々の構成で実現できる。例えば、上述した実施形態、実施例および変形例における技術的特徴のうち、発明の概要の欄に記載した各形態における技術的特徴に対応するものは、上述の課題の一部または全部を解決するために、あるいは、上述の効果の一部または全部を達成するために、適宜、差し替えおよび組み合わせることができる。また、本明細書中に必須なものとして説明されていない技術的特徴については、適宜、削除できる。
【００２９】
上述の実施形態では、ドアノブ取付部２１０は、丸型のドアノブ１３０に適用した形態であるが、他の実施形態では、ドアノブ取付部２１０は、レバー式のドアノブに適用した形態であってもよく、レバー式のドアノブにおけるレバー部分に取り付け可能に構成されてもよい。また、上下機構２３０および足踏み板２４０の少なくとも一方は、足踏み板２４０が上下移動する際の前後および左右のズレを防止する案内ガイドを備えてもよい。また、開き戸の錠１４０を作動させる回転機構に対して線状部材２２０の端部２２２を直接的に連結することによって、ドアノブ１３０を備えない開き戸を構成してもよい。また、線状部材２２０を板状本体１１０の内側に設けることによって、外部から線状部材２２０を視認できない構成としてもよい。
【００３０】
図４は、他の実施形態におけるドア開閉装置２０１の詳細構成を示す説明図である。他の実施形態におけるドア開閉装置２０１は、引張コイルバネ２２５を備える点を除き、上述の実施形態におけるドア開閉装置２００と同様である。引張コイルバネ２２５は、線状部材２２０の端部２２４と上下機構２３０のスライドシャフト２３２との間を連結する。この実施形態によれば、引張コイルバネ２２５が伸縮することによって、線状部材２２０の弛みを防止できる。また、引張コイルバネ２２５が伸縮することによって、上下機構２３０のベース２３６を開き戸１００の板状本体１１０に対して取り付ける位置に余裕を持たせることができる。
【符号の説明】
【００３１】
１００…開き戸
１１０…板状本体
１２０…ヒンジ
１２５…回転軸
１３０…ドアノブ
１３５…回転軸
１４０…錠
１８０…床
２００，２０１…ドア開閉装置
２１０…ドアノブ取付部
２１２…ドアノブ係合部
２１４…締付部
２１６…離隔部
２２０…線状部材
２２２…端部
２２４…端部
２２５…引張コイルバネ
２３０…上下機構
２３２…スライドシャフト
２３３…スプリング
２３４…ハウジング
２３６…ベース
２４０…足踏み板
２４２…上面
２４４…突出部
２４６…端部
２４８…底部
２５０…車輪部
【要約】
【課題】足で開き戸の錠を開放した状態で、そのまま足で開き戸を円滑に開閉する
【解決手段】回転によって錠を開放するドアノブを有する開き戸を開閉するドア開閉装置は、ドアノブに取り付け可能に構成され、ドアノブの回転軸から離れた離隔部を有するドアノブ取付部と；ドアノブ取付部の離隔部に連結され、軸方向引張力を伝達し、軸方向圧縮力を逃す線状部材と；開き戸におけるドアノブより下方に取り付け可能に構成され、線状部材を介してドアノブ取付部に連結され、操作者の足による押し下げに伴って線状部材を介してドアノブ取付部を引っ張ることによってドアノブを回転可能に構成された足踏み板と；足踏み板の底部に設けられ、足踏み板の押し下げに伴って床に接触するとともに、開き戸の開閉に伴って床の上を転動可能に構成された車輪部とを備える。
【選択図】図３【図１】
0006722968.tif 000002
【図２】
0006722968.tif 000003
【図３】
0006722968.tif 000004
【図４】
0006722968.tif 000005